【手続補正書】
【提出日】平成25年9月4日(2013.9.4)
【手続補正１】
【補正対象書類名】明細書
【補正対象項目名】発明の名称
【補正方法】変更
【補正の内容】
【発明の名称】検索システム、サーバ及びプログラム
【手続補正２】
【補正対象書類名】明細書
【補正対象項目名】０００１
【補正方法】変更
【補正の内容】
【０００１】
本発明は、検索システム、サーバ及びプログラムに関する。
【手続補正３】
【補正対象書類名】明細書
【補正対象項目名】０００６
【補正方法】変更
【補正の内容】
【０００６】
上記課題を解決するため、請求項１に記載の発明は、複数の検索対象の所在位置に対応付けられて設置されて信号を発信する複数の発信機と、前記発信機の動作を制御するサーバと、前記発信機から送信される信号を受信する端末と、を有する検索システムであって、前記端末は、前記複数の検索対象のうち、所在位置を特定する検索対象を選択する選択手段と、前記選択手段により選択された検索対象を示す情報を送信する情報送信手段と、前記発信機から発信される信号を受信する信号受信手段と、前記信号受信手段により受信された信号に基づいて前記選択手段により選択された検索対象の所在位置に関する情報を報知する報知手段と、を備え、前記サーバは、前記端末から送信された検索対象を示す情報を受信する情報受信手段と、前記検索対象を示す情報と前記発信機とを対応付ける対応付け情報を記憶する対応付け情報記憶手段と、前記情報受信手段により受信された検索対象を示す情報と前記対応付け情報に基づいて当該検索対象を示す情報と対応付けられた発信機を特定する発信機特定手段と、前記発信機特定手段により特定された発信機を動作させる発信機動作制御手段と、を備えることを特徴とする。
【手続補正４】
【補正対象書類名】明細書
【補正対象項目名】００１０
【補正方法】変更
【補正の内容】
【００１０】
請求項５に記載の発明は、請求項１から４のいずれか一項に記載の検索システムであって、一の発信機は、一又は複数の検索対象に対応付けられることを特徴とする。
請求項６に記載の発明は、複数の検索対象の所在位置に対応付けられて設置されて信号を発信する複数の発信機と、前記発信機から送信される信号を受信し且つ検索対象を示す情報を送信する端末と、を有する検索システムにおいて、前記発信機の動作を制御するサーバであって、前記端末から送信された検索対象を示す情報を受信する受信手段と、前記検索対象を示す情報と前記発信機とを対応付ける対応付け情報を記憶する記憶手段と、前記受信手段により受信された検索対象を示す情報と前記対応付け情報に基づいて当該検索対象を示す情報と対応付けられた発信機を特定する特定手段と、前記特定手段により特定された発信機を動作させる制御手段と、を備えることを特徴とする。
請求項７に記載の発明は、複数の検索対象の所在位置に対応付けられて設置されて信号を発信する複数の発信機と、前記発信機から送信される信号を受信し且つ検索対象を示す情報を送信する端末と、を有する検索システムにおいて、前記発信機の動作を制御するサーバのコンピュータを制御するためのプログラムであって、前記コンピュータを、前記端末から送信された検索対象を示す情報を受信する受信手段、前記検索対象を示す情報と前記発信機とを対応付ける対応付け情報を記憶する記憶手段、前記受信手段により受信された検索対象を示す情報と前記対応付け情報に基づいて当該検索対象を示す情報と対応付けられた発信機を特定する特定手段、前記特定手段により特定された発信機を動作させる制御手段、として機能させるようにしたコンピュータ読み取り可能なプログラムである。
【手続補正５】
【補正対象書類名】特許請求の範囲
【補正対象項目名】全文
【補正方法】変更
【補正の内容】
【特許請求の範囲】
【請求項１】
複数の検索対象の所在位置に対応付けられて設置されて信号を発信する複数の発信機と、前記発信機の動作を制御するサーバと、前記発信機から送信される信号を受信する端末と、を有する検索システムであって、
前記端末は、
前記複数の検索対象のうち、所在位置を特定する検索対象を選択する選択手段と、
前記選択手段により選択された検索対象を示す情報を送信する情報送信手段と、
前記発信機から発信される信号を受信する信号受信手段と、
前記信号受信手段により受信された信号に基づいて前記選択手段により選択された検索対象の所在位置に関する情報を報知する報知手段と、を備え、
前記サーバは、
前記端末から送信された検索対象を示す情報を受信する情報受信手段と、
前記検索対象を示す情報と前記発信機とを対応付ける対応付け情報を記憶する対応付け情報記憶手段と、
前記情報受信手段により受信された検索対象を示す情報と前記対応付け情報に基づいて当該検索対象を示す情報と対応付けられた発信機を特定する発信機特定手段と、
前記発信機特定手段により特定された発信機を動作させる発信機動作制御手段と、
を備えることを特徴とする検索システム。
【請求項２】
複数の発信機はそれぞれ異なる周波数の信号を発信し、
前記端末は、
前記検索対象と対応付けられた発信機の周波数の信号を識別する識別手段をさらに備え、
前記報知手段は、前記識別手段により識別された周波数に基づいて前記検索対象の所在位置に関する情報を報知することを特徴とする請求項１に記載の検索システム。
【請求項３】
前記サーバは、
複数の発信機のそれぞれにより発信される信号の周波数を個別に記憶する周波数記憶手段と、
前記周波数記憶手段の記憶内容に基づいて前記発信機特定手段により特定された発信機から発信される信号の周波数を特定する周波数特定手段と、
前記周波数特定手段により特定された周波数を示す情報を前記端末へ通知する周波数情報通知手段と、をさらに備え、
前記端末は、
前記周波数情報通知手段により通知された周波数を示す情報を受信する周波数情報受信手段をさらに備えることを特徴とする請求項２に記載の検索システム。
【請求項４】
前記端末は、
前記信号受信手段により受信された信号の強度に基づいて、当該端末と前記検索対象の所在位置との間の距離に関する情報を取得する距離取得手段と、
前記距離取得手段により取得された距離に関する情報に基づいて当該距離に関する情報を報知する距離報知手段と、
をさらに備えることを特徴とする請求項１から３のいずれか一項に記載の検索システム。
【請求項５】
一の発信機は、一又は複数の検索対象に対応付けられることを特徴とする請求項１から４のいずれか一項に記載の検索システム。
【請求項６】
複数の検索対象の所在位置に対応付けられて設置されて信号を発信する複数の発信機と、前記発信機から送信される信号を受信し且つ検索対象を示す情報を送信する端末と、を有する検索システムにおいて、前記発信機の動作を制御するサーバであって、
前記端末から送信された検索対象を示す情報を受信する受信手段と、
前記検索対象を示す情報と前記発信機とを対応付ける対応付け情報を記憶する記憶手段と、
前記受信手段により受信された検索対象を示す情報と前記対応付け情報に基づいて当該検索対象を示す情報と対応付けられた発信機を特定する特定手段と、
前記特定手段により特定された発信機を動作させる制御手段と、
を備えることを特徴とするサーバ。
【請求項７】
複数の検索対象の所在位置に対応付けられて設置されて信号を発信する複数の発信機と、前記発信機から送信される信号を受信し且つ検索対象を示す情報を送信する端末と、を有する検索システムにおいて、前記発信機の動作を制御するサーバのコンピュータを制御するためのプログラムであって、
前記コンピュータを、
前記端末から送信された検索対象を示す情報を受信する受信手段、
前記検索対象を示す情報と前記発信機とを対応付ける対応付け情報を記憶する記憶手段、
前記受信手段により受信された検索対象を示す情報と前記対応付け情報に基づいて当該検索対象を示す情報と対応付けられた発信機を特定する特定手段、
前記特定手段により特定された発信機を動作させる制御手段、
として機能させるようにしたコンピュータ読み取り可能なプログラム。